(57)【要約】【課題】携帯電話機の時刻設定を正確に行うことのできる携帯電話機の時刻設定システム、時刻設定方法、及び時刻設定プログラムを提供する。【解決手段】携帯電話機に備えられ、時刻情報の送信を要求する時刻要求パケットを、パケット通信により基地局に向けて発信する時刻要求部と、基地局に備えられ、前記時刻要求パケットの受信に応答して、基地局に設定された時刻の情報を含む時刻設定パケットを生成し、パケット通信により前記時刻設定パケットを前記携帯電話機に返信する時刻返信部と、を具備する【選択図】図１
2007271415.tif 000002
【特許請求の範囲】
【請求項１】
携帯電話機に備えられ、時刻情報の送信を要求する時刻要求パケットを、パケット通信により基地局に向けて発信する時刻要求部と、
基地局に備えられ、前記時刻要求パケットの受信に応答して、基地局に設定された時刻の情報を含む時刻設定パケットを生成し、パケット通信により前記時刻設定パケットを前記携帯電話機に返信する時刻返信部と、
を具備する
携帯電話機の時刻設定システム。
【請求項２】
請求項１に記載された携帯電話機の時刻設定システムであって、
更に、
前記携帯電話機に備えられ、前記時刻設定パケットの示す時刻情報に基いて、前記携帯電話機に設定される時刻情報を設定する時刻設定部と、
を具備する
携帯電話機の時刻設定システム。
【請求項３】
請求項２に記載された携帯電話機の時刻設定システムであって、
更に、
前記携帯電話機に備えられ、ユーザからの入力に応答して、時刻設定要求信号を前記時刻要求部へ送信する入力部、
を具備し、
前記時刻要求部は、前記時刻設定要求信号に応答して、前記時刻要求パケットを発信する
携帯電話機の時刻設定システム。
【請求項４】
請求項２又は３のいずれかに記載された携帯電話機の時刻設定システムであって、
更に、
時刻設定を行う時刻が設定されており、設定された時刻になると、時刻設定要求信号を前記時刻要求部へ送信するスケジュール機能部
を具備し、
前記時刻要求部は、前記時刻要求信号に応答して、前記時刻要求パケットを発信する
携帯電話機の時刻設定システム。
【請求項５】
請求項２乃至４のいずれかに記載された携帯電話機の時刻設定システムであって、
前記時刻要求部は、１回目の前記時刻要求パケットの発信の後に、前記携帯電話機が前記時刻設定パケットを受信すると、２回目の前記時刻要求パケットを発信し、
前記時刻設定部は、１回目の前記時刻要求パケットに対して返信された前記時刻設定パケットの示す時刻情報Ｔ１と、２回目の前記時刻要求パケットに対して返信された前記時刻設定パケットの示す時刻情報Ｔ２と、に基いて、前記携帯電話機と基地局との間の伝送遅延時間ｔを求め、前記伝送遅延時間ｔに基いて前記携帯電話機に設定される時刻情報を設定する
携帯電話機の時刻設定システム。
【請求項６】
請求項５に記載された携帯電話機の時刻設定システムであって、
前記時刻設定部は、前記伝送遅延時間ｔを、「ｔ」＝「（Ｔ１−Ｔ２）÷２」として求め、
前記時刻設定部は、「Ｔ２＋ｔ」を現在時刻として前記携帯電話機に設定する
携帯電話機の時刻設定システム。
【請求項７】
携帯電話機に設けられた時刻要求部と、基地局に設けられた時刻返信部と、を具備する携帯電話機の時刻設定システムにおいて、
前記時刻要求部が、基地局に向けて、時刻情報の送信を要求する時刻要求パケットを、パケット通信により発信する時刻要求パケット発信ステップと、
前記時刻返信部が、前記時刻要求パケットの受信に応答して、基地局に設定された時刻の情報を含む時刻設定パケットを生成し、パケット通信により前記携帯電話機に返信する時刻設定パケット返信ステップと、
を具備する
携帯電話機の時刻設定方法。
【請求項８】
請求項７に記載された携帯電話機の時刻設定方法であって、
前記携帯電話機は、時刻設定部を有し、
更に、
前記時刻設定部が、前記時刻設定パケットの示す時刻情報に基いて、前記携帯電話機に設定される時刻情報を設定する時刻情報設定ステップ、
を具備する
携帯電話機の時刻設定システム。
【請求項９】
請求項８に記載された携帯電話機の時刻設定方法であって、
更に、
時刻設定要求信号を前記携帯電話機に入力するステップ、
を具備し、
前記時刻要求発信ステップは、前記時刻設定要求信号の入力に応答して実行される
携帯電話機の時刻設定方法。
【請求項１０】
請求項８又は９に記載された携帯電話機の時刻設定システムであって、
更に、
時刻設定を行う時刻を設定するステップと、
設定された時刻になると、時刻設定要求信号を前記時刻要求部へ送信するステップと、
を具備し、
前記時刻要求パケット発信ステップは、前記時刻設定要求信号に応答して実施される
携帯電話機の時刻設定方法。
【請求項１１】
請求項８乃至１０のいずれかに記載された携帯電話機の時刻設定方法であって、
前記時刻要求パケット発信ステップは、１回目の時刻要求パケットを発信する時刻設定パケット発信ステップと、２回目の時刻要求パケットを発信する第２の時刻要求パケット発信ステップと、を有し、
前記時刻設定パケット返信ステップは、前記１回目の時刻要求パケットに対して時刻設定パケットを返信する時刻設定パケット返信ステップと、前記２回目の時刻要求パケットに対して時刻設定パケットを返信する時刻設定パケット返信ステップと、を有し、
前記時刻情報設定ステップは、前記時刻設定部が、前記時刻設定パケットの示す時刻情報Ｔ１と、前記時刻設定パケットの示す時刻情報Ｔ２と、に基いて、前記携帯電話機と基地局との間の伝送遅延時間ｔを求める伝送遅延時間算出ステップと、
求めた伝送遅延時間に基いて、前記携帯電話に設定される時刻情報を設定する設定ステップと、を有する
携帯電話機の時刻設定方法
【請求項１２】
請求項１１に記載された携帯電話機の時刻設定方法であって、
前記伝送遅延時間算出ステップにおいて、前記時刻設定部は、前記伝送遅延時間ｔを、「ｔ」＝「（Ｔ１−Ｔ２）÷２」として求め、
前記設定ステップにおいて、前記時刻設定部は、「Ｔ２＋ｔ」を現在時刻として前記携帯電話機に設定する
携帯電話機の時刻設定方法。
【請求項１３】
請求項７乃至１２のいずれかに記載された携帯電話機の時刻設定方法を、コンピュータによって実現する為の携帯電話機の時刻設定プログラム。
【発明の詳細な説明】
【技術分野】
【０００１】
本発明は、携帯電話器の時刻設定システム、時刻設定方法、及び時刻設定プログラムに関する。
【背景技術】
【０００２】
従来の携帯電話機に具備される時計機能は、定期的に時刻合わせを必要とするものであった。携帯電話機に時刻を設定する際には、ユーザが現在時刻を入力していた。しかしながら、ユーザが入力する現在時刻と、実際の現在時刻との間には誤差が生じることがあり、正確な時間が携帯電話機に設定されないことがあった。また、時刻合わせの都度、ユーザが何らかの手段によって実際の現在時刻を知る必要があり、ユーザにとっては負担となっていた。よって、ユーザに負担をかけず、精度よく時刻の設定を行う技術が望まれていた。
【０００３】
上記と関連して、特許文献１は、固有の位置情報を送信するように構成された基地局と無線接続する無線通信装置において、現在時刻を記憶する記憶手段と、その基地局から送信される位置情報を受信する受信手段と、その位置情報に基いて現在時間を算出する算出手段と、その記憶手段に記憶された現在時間をその算出手段に算出された現在時間に更新する更新手段とを備えることを特徴とする無線通信装置、を開示している。
【０００４】
また、特許文献２は、携帯電話機と、その携帯電話機を介して時刻情報を取得する手段と、その時刻情報に基づいてその携帯電話機の時計の時刻合わせを行う手段とを具備することを特徴とする時刻合わせ装置、を開示している。
【０００５】
また、特許文献３は、自己の通信エリア内に存在する通信相手の装置との間で自発的もしくは問合せに応じて通信を行う近距離無線通信手段を備えた装置の情報通信方法において、基準時刻情報を有する時刻情報提供装置と基準時刻情報を必要とする時刻情報取得装置との間でその近距離無線通信手段による通信を行う場合に、その時刻情報提供装置が有しているその基準時刻情報をその時刻情報取得装置に取得させるように通信処理を行うことを特徴とする情報通新方法、を開示している。
【０００６】
また、特許文献４には、子局装置が、データ応答信号送信時に内部時計の子局送信時刻を付加し、親局装置は、データ応答信号の親局受信時刻と一定データ長の応答到達確認信号の親局送信時刻とを付加し、子局装置は、子局受信時刻により、データ滞留平均時間を算出し、親局マスタ時計と子局装置内部時計との偏差を算出し、親局マスタ時計と子局装置内部時計との偏差を算出し、所定値を超えたら、内部時計を修正し、時刻を同期させることが記載されている。
【０００７】
また、特許文献５には、携帯電話を含む複数の携帯電話が、それぞれアプリケーションＭＡＰを起動させた後、ネットワークを介してアプリケーションＳＡＰで動作するサーバよりサーバ時計で掲示されるサーバ時刻を複数回取得し、各携帯電話は、サーバからサーバ時計を取得するとともに各回の通信で費やす通信時間を考慮して内部時計で計時される内部時刻との比較からサーバ時計を近似し、この近似されたサーバ時刻と内部時計で計時される内部時刻とを用いて携帯電話側の基準となる時刻をサーバ時計で計時されるサーバ時刻に同期させる、ことが記載されている。
【０００８】
また、特許文献６には、無線到達エリア内に複数の無線装置が存在する場合でも、他のシステムとの混信がなく、確実な時計同期合わせ通信を行うことができ、ひいては無線通信を確実に行うことができる自動検針無線システムを提供する為に、親無線装置及び子無線装置は、それぞれ個別に設定された呼出符号のデータに基いて無線通信を行なうための通信チャネルおよび時計回路の同期合わせを行うための通信時刻を設定する、ことが記載されている。
【０００９】
また、特許文献７には、時刻を送信要求する移動局と、時刻を応答送信する時刻応答局と、その移動局とその時刻応答局とを独立して結ぶ往路及び復路の各々の双方向の遅延時間が等しい通信網を有し、その移動局がその時刻応答局に対して時刻送信要求を行うとともに、送信要求から応答受信までの経過時間を計測し、これら往路及び復路による各々の正順、逆順で計測したその経過時間から補正するべき遅延時間を求める計算手段を備えたことを特徴とする時刻同期方式、を開示している。
【００１０】
ところで、携帯電話機の時刻設定を正確に行うにあたっての技術は、簡略化された構成で達成されることが望まれている。
【特許文献１】特開２０００−１１５８５４号  公報
【特許文献２】特開２００１−２１６７５号  公報
【特許文献３】特開２００２−３００６４０号  公報
【特許文献４】特開２００５−６４９５１号  公報
【特許文献５】特開２００５−１０６６９６号  公報
【特許文献６】特開平７−１８４２７６号  公報
【特許文献７】特開平１１−１０９０６２号  公報
【発明の開示】
【発明が解決しようとする課題】
【００１１】
本発明の目的は、携帯電話機の時刻設定を正確に行うことのできる携帯電話機の時刻設定システム、時刻設定方法、及び時刻設定プログラムを提供することにある。
本発明の他の目的は、時刻設定を、ユーザに負担をかけずに行うことのできる携帯電話機の時刻設定システム、時刻設定方法、及び時刻設定プログラムを提供することにある。
本発明の更に他の目的は、時刻設定を、簡略化された構成で行うことのできる携帯電話機の時刻設定システム、時刻設定方法、及び時刻設定プログラムを提供することにある。
【課題を解決するための手段】
【００１２】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【００１３】
本発明に係る携帯電話機の時刻設定システム（１０）は、携帯電話機（１）に備えられ、時刻情報の送信を要求する時刻要求パケット（７）を、パケット通信により基地局（２）に向けて発信する時刻要求部（３）と、基地局（２）に備えられ、時刻要求パケット（７）の受信に応答して、基地局（２）に設定された時刻の情報を含む時刻設定パケット（８）を生成し、パケット通信により時刻設定パケット（８）を携帯電話機（２０）に返信する時刻返信部（５）と、を具備する。
【００１４】
上記の携帯電話機の時刻設定システム（１０）は、更に、携帯電話機（２０）に備えられ、時刻設定パケット（８）の示す時刻情報に基いて、携帯電話機（１）に設定される時刻情報を設定する時刻設定部（４）と、を具備する。
【００１５】
上記の携帯電話機の時刻設定システム（１０）は、更に、携帯電話機（１）に備えられ、ユーザからの入力に応答して、時刻設定要求信号（６）を時刻要求部（３）へ送信する入力部（１４）、を具備する。時刻要求部（３）は、時刻設定要求信号（６）に応答して、時刻要求パケット（７）を発信する。
【００１６】
上記の携帯電話機の時刻設定システム（１０）は、更に、時刻設定を行う時刻が設定されており、設定された時刻になると、時刻設定要求信号（６）を時刻要求部（３）へ送信するスケジュール機能部（１２）、を具備する。時刻要求部（３）は、時刻設定要求信号（６）に応答して、時刻要求パケット（７）を発信する。
【００１７】
上記の携帯電話機の時刻設定システム（１０）において、時刻要求部（３）は、１回目の時刻要求パケット（７）の発信の後に、携帯電話機（１）が時刻設定パケット（８）を受信すると、２回目の時刻要求パケット（７）を発信する。時刻設定部（４）は、１回目の時刻要求パケット（７）に対して返信された時刻設定パケット（８）の示す時刻情報Ｔ１と、２回目の時刻要求パケット（７）に対して返信された時刻設定パケット（８）の示す時刻情報Ｔ２と、に基いて、携帯電話機（１）と基地局（２）との間の伝送遅延時間ｔを求め、伝送遅延時間ｔに基いて携帯電話機（１）に設定される時刻情報を設定する。
【００１８】
上記の携帯電話機の時刻設定システム（１０）において、時刻設定部（４）は、伝送遅延時間ｔを、「ｔ」＝「（Ｔ１−Ｔ２）÷２」として求める。時刻設定部（４）は、「Ｔ２＋ｔ」を現在時刻として携帯電話機（１）に設定する。
【００１９】
本発明に係る携帯電話機の時刻設定方法は、携帯電話機（１）に設けられた時刻要求部（３）と、基地局（２）に設けられた時刻返信部（５）と、を具備する携帯電話機の時刻設定システムにおいて、時刻要求部（３）が、基地局（２）に向けて、時刻情報の送信を要求する時刻要求パケット（７）を、パケット通信により発信する時刻要求パケット発信ステップ（ステップＳ１０）と、時刻返信部（５）が、時刻要求パケット（７）の受信に応答して、基地局（２）に設定された時刻の情報を含む時刻設定パケット（８）を生成し、パケット通信により携帯電話機（１）に返信する時刻設定パケット返信ステップ（ステップＳ２０）と、を具備する。
【００２０】
上記の携帯電話機の時刻設定方法であって、携帯電話機（１）は、時刻設定部（４）を有し、更に、時刻設定部（４）が、時刻設定パケット（８）の示す時刻情報に基いて、携帯電話機（１）に設定される時刻情報を設定する時刻情報設定ステップ（ステップＳ３０）、を具備する。
【００２１】
上記の携帯電話機の時刻設定方法は、更に、ユーザからの入力に応答して時刻設定要求信号（６）を時刻要求部（３）へ送信するステップ（ステップＳ０１）、を具備する。時刻要求発信ステップ（Ｓ１０）は、時刻設定要求信号の入力に応答して実行される。
【００２２】
上記の携帯電話機の時刻設定システムは、更に、時刻設定を行う時刻を設定するステップ（ステップＳ０２）と、設定された時刻になると、時刻設定要求信号（６）を時刻要求部（３）へ送信するステップ（ステップＳ０３）と、を具備する。時刻要求パケット発信ステップ（Ｓ１０）は、時刻設定要求信号（６）に応答して実施される。
【００２３】
上記の携帯電話機の時刻設定方法であって、時刻要求パケット発信ステップ（Ｓ１０）は、１回目の時刻要求パケット（７）を発信する時刻設定パケット発信ステップ（ステップＳ１０−１）と、２回目の時刻要求パケット（７）を発信する第２の時刻要求パケット発信ステップ（ステップＳ１０−２）と、を有し、時刻設定パケット返信ステップ（ステップＳ２０）は、１回目の時刻要求パケット（７）に対して時刻設定パケットを返信する時刻設定パケット返信ステップ（ステップＳ２０−１）と、その２回目の時刻要求パケットに対して時刻設定パケットを返信する時刻設定パケット返信ステップ（ステップＳ２０−２）と、を有する。時刻情報設定ステップ（Ｓ３０）は、時刻設定部（４）が、時刻設定パケットの示す時刻情報Ｔ１と、その時刻設定パケットの示す時刻情報Ｔ２と、に基いて、携帯電話機（１）と基地局（２）との間の伝送遅延時間ｔを求める伝送遅延時間算出ステップ（ステップＳ３０−１）と、求めた伝送遅延時間に基いて、携帯電話機（１）に設定される時刻情報を設定する設定ステップ（ステップＳ３０−２）と、を有する。
【００２４】
上記の携帯電話機の時刻設定方法では、伝送遅延時間算出ステップ（Ｓ３０−１）において、時刻設定部（４）は、伝送遅延時間ｔを、「ｔ」＝「（Ｔ１−Ｔ２）÷２」として求める。設定ステップ（Ｓ３０−２）において、時刻設定部（４）は、「Ｔ２＋ｔ」を現在時刻として携帯電話機（１）に設定する。
【００２５】
本発明に係る携帯電話機の時刻設定プログラム（３０−１、３０−２）は、上記の携帯電話機の時刻設定方法を、コンピュータによって実現する為の時刻設定プログラムである。
【発明の効果】
【００２６】
本発明に依れば、携帯電話機の時刻設定を正確に行うことのできる携帯電話機の時刻設定システム、時刻設定方法、及び時刻設定プログラムが提供される。
本発明に依れば、更に、時刻設定を、ユーザに負担をかけずに行うことのできる携帯電話機の時刻設定システム、時刻設定方法、及び時刻設定プログラムが提供される。
本発明に依れば、更に、時刻設定を、簡略化された構成で行うことのできる携帯電話機の時刻設定システム、時刻設定方法、及び時刻設定プログラムが提供される。
【発明を実施するための最良の形態】
【００２７】
（第１の実施の形態）
図面を参照して、本実施の形態に係る携帯電話機の時刻設定システム１０について説明する。携帯電話機の時刻設定システム１０は、携帯電話機１側に設けられた時刻設定プログラム３０−１と、基地局２側に設けられた時刻設定プログラム３０−２とによって、素の機能を実現する。図５は、携帯電話機１側のハードウェア構成を示す概略図であり、図６は、基地局２側のハードウェア構成を示す概略図である。
【００２８】
図５を参照して、携帯電話機１は、入力部１４と、時計機能部１３と、ＣＰＵ１５と、ＲＡＭ１６と、パケット送受信部１１と、アンテナ１７と、を有している。ＲＡＭ１６には、携帯電話機１側の時刻設定プログラム３０−１が記憶されている。これらは、互いにアクセス可能なように接続されている。
【００２９】
図７は、時刻設定プログラム３０−１の構成を概念的に示す図である。時刻設定プログラム３０−１は、時刻要求部３と、時刻設定部４と、スケジュール機能部１２と、を有している。時刻要求部３は、時刻要求パケット送信部３１を有している。時刻設定部４は、時刻設定パケット受信部４１と、時刻設定パケット機能部１−４と、を有している。
【００３０】
一方、図６を参照して、基地局２は、標準時刻保存部２２と、ＣＰＵ２５と、ＥＡＭ３０−７と、パケット送受信部２１と、アンテナ２７とを有している。これらは、互いにアクセス可能なように接続されている。ＲＡＭ２６には、基地局側の時刻設定プログラム３０−２が記憶されている。
【００３１】
図８は、時刻設定プログラム３０−２の構成を概念的に示す図である。時刻設定プログラム３０−２は、パケット内容解析部５１と、パケット作成部１−１１と、を有している。
【００３２】
上述のような携帯電話機の時刻設定システム１００の各構成の機能について説明する。図１は、携帯電話機の時刻設定システム１００の機能ブロック図である。
【００３３】
入力部１４は、キ−等に例示される。入力部１４は、ユーザからの指示を受けつける。即ち、ユーザが入力部１４から時刻設定を行う旨を入力すると、入力部１４は、時刻設定要求信号６を生成して時刻要求パケット送信部３１へ送信する。
【００３４】
スケジュール機能部１２には、時刻設定を行う時刻が設定されている。スケジュール機能部１２は、現在時刻が時計設定を行う時刻になると、時刻設定要求信号６を生成して時刻要求パケット送信部３１へ送信する。
【００３５】
時刻要求パケット送信部３１、入力部１４又はスケジュール機能部１２より時刻設定要求信号６を取得すると、予め用意された時刻要求パケット７をパケット送受信部１１へ送信する。
【００３６】
時刻要求パケット７は、既存のパケット通信用パケットに、時刻要求であることが判別できる情報をヘッダ部に付加したものである。
【００３７】
パケット送受信部１１はソフトウェア的に構成されている。パケット送受信部１１は、アンテナ１７を介して、パケット通信を行う機能を実現する。具体的には、時刻要求パケット送信部３１から取得した時刻要求パケット７をアンテナ１７を介して基地局２へ送信する。また、アンテナ１７を介して、時刻設定パケットの受信を行い、受信した情報を時刻設定部や時刻要求部へ通知する機能を実現する。
【００３８】
時刻設定パケット受信部４１は、パケット送受信部１１から時刻設定パケットを取得すると、時刻情報を抽出して、時刻設定機能部４２へ通知する機能を実現する。
【００３９】
時刻設定機能部４２は、時刻設定パケット受信部４１から取得した時刻情報を、現在時刻として時計機能部１３に設定する機能を実現する。
【００４０】
基地局２側に設けられたパケット送受信部２１もソフトウェア的に構成されている。基地局側アンテナ２７を介して時刻要求パケット７を受信する機能を実現する。
【００４１】
標準時刻保存部２２には標準時刻が保存されている。
【００４２】
パケット内容解析部５１は、パケット送受信部２１からパケットを取得すると、そのパケットが時刻要求パケットであるか否かを判別する。時刻要求パケットであった場合には、時刻設定パケット作成部５２にアクセスして、時刻設定パケットの送信を要求する。
【００４３】
時刻設定パケット作成部５２は、パケット内容解析部５１から時刻設定パケットの送信を要求されると、標準時刻保存部２２にアクセスして現在時刻を示す情報を取得する。そして、ペイロード（情報部分）に時刻情報の設定された時刻設定パケットを作成する。更に、パケット送受信部２１を介して時刻設定パケットを携帯電話機１に送信する。
【００４４】
図２を参照して、本実施の形態に係る携帯電話機の時刻設定方法について説明する。図２は、携帯電話機の時刻設定方法の動作を示すフローチャートである。
【００４５】
ステップＳ０１〜０３；時刻設定要求信号の取得
ユーザが入力部１４を介して時刻設定を行う旨を入力する（ステップＳ０１）か、又は、時刻設定を行い（ステップＳ０２）、時刻設定を行う時刻になった場合に、時刻設定要求信号６が時刻要求パケット送信部３１へ送信される（ステップＳ０３）。
【００４６】
ステップＳ１０；時刻要求パケットの発信
時刻要求パケット送信部３１は、予め用意された時刻要求パケット７を、パケット送受信部１１を介して基地局２へ送信する（Ｓ１０１）。その後、携帯電話機は時刻設定パケットの受信待ち状態となる（Ｓ１０２）。
【００４７】
ステップＳ２０；時刻設定パケットの返信
携帯電話機１を収容する基地局２で、時刻要求パケット７を受信すると、パケット内容解析部５１にて、パケット内容が解析される（Ｓ２０１）。解析の結果、時刻要求パケットであった場合には、時刻設定パケット１−１１が標準時刻保存部２２にアクセスして現在時刻を取得する（Ｓ２０２）。そして、時刻設定パケットを作成する（Ｓ２０３）。更に、時刻設定パケット作成部５２は、パケット送受信部２１を介して、時刻設定パケットを携帯電話機１側へ返信する（Ｓ２０４）。
【００４８】
ステップＳ３０；時刻の設定
時刻設定パケットの受信待ちとなっていた携帯電話機１では、受信した時刻設定パケットが、パケット送受信部１１から時刻設定パケット受信部４１へと受け渡される。そして、時刻設定パケット受信部４１において、時刻設定パケットから時刻情報が抽出される（Ｓ１０３）。抽出された時刻情報は、時刻設定機能部４２へ通知される。そして、時刻設定機能部４２が時計機能部１３に取得した時刻情報を現在時刻として設定する（Ｓ１０４）。
【００４９】
以上の一連の動作により、携帯電話機１に時刻設定が行われる。本実施の形態に依れば、携帯電話機１と基地局との間でのパケット通信により時刻設定を行っている為、簡易な通信で、基地局からの正確な時間情報を利用して設定を行うことができる。
【００５０】
パケット通信で時刻情報のみを送信するので、使用される通信パケットの情報量は最小単位で十分である。
【００５１】
また、ユーザは、時刻設定を行う旨のみを入力すればよく、時刻設定の都度、正確な時刻を把握する必要はない。スケジュール機能部１２に時刻設定を行う時刻を設定しておけば、ユーザにかかる負担は更に低減する。
【００５２】
しかも、基地局２からの時刻配信となっているので、携帯電話機が移動し時刻の異なるエリアに入った場合（国際ローミングなど）でも、基地局の標準時刻保存部２２はその地域の時刻を保存しているので、ユーザの入力又はスケジュール機能部１２による自動機能により正確な時間を設定するできることができる。
【００５３】
尚、本実施の形態で述べた携帯電話機として、ＰＤＣ無線電話機、ＩＭＴ無線電話機、ＰＨＳを用いてもよい。
【００５４】
（第２の実施の形態）
本発明の第２の実施の形態について以下に説明する。図９は、本実施の形態に係る時刻設定プログラム３０−１の構成を概念的に示す図である。本実施の形態では、第１の実施形態に対して、時刻設定プログラム３０−１に伝送遅延測定機能部４３が追加されている。また、時刻要求パケット７が、１度の時刻設定要求信号６の受信に対して、時刻要求パケット７の送信を２度行う点で工夫が成されている。尚、本実施の形態を説明するにあたり、第１の実施の形態と同様の構成・動作については、説明を省略する。
【００５５】
図３は、本実施の形態に係る携帯電話機の時刻設定システムにおけるデータの流れを示す図である。本実施の形態において、時刻要求パケット送信部３１は、一度時刻要求パケット７を発信して、携帯電話機１が時刻設定パケットを受信すると、２℃目の時刻要求パケット７を送信する機能を実現する。
【００５６】
伝送遅延測定機能部４３は、一度目の時刻要求パケット７に対して基地局２側から返信されてきた時刻設定パケットから抽出された時刻情報Ｔ１と、２度目の時刻要求パケットに対する返信である時刻要求パケットから抽出された時刻情報Ｔ２と、に基いて、携帯電話機１と基地局２との間の片道の伝送遅延時間ｔを、ｔ＝（Ｔ２−Ｔ１）÷２として算出する。そして、現在時刻ＴをＴ＝Ｔ２＋ｔとして求め、時刻設定機能部４２へ通知する機能を実現する。
【００５７】
図４は、本実施の形態に係る携帯電話機の時刻設定方法の動作を示すフロー図である。図４を参照して、本実施の形態に係る時刻設定方法の動作について説明する。
【００５８】
ステップＳ０１〜０３；時刻設定要求信号の送信
ユーザが時刻設定を行う旨を通知する（Ｓ０１）か、又は予め設定された（Ｓ０２）時刻設定を行う時刻になると、時刻設定要求信号６が時刻要求パケット送信部３１へ送信される（ステップＳ０３）。
【００５９】
ステップＳ１０−１；第１送信ステップ
時刻設定要求信号６を取得した時刻要求パケット送信部３１が、一度目の時刻要求パケット７をパケット送受信部１１を介して基地局２へ送信する（Ｓ１０５）。携帯電話機１は、時刻設定パケットの受信待ちの状態となる（Ｓ１０６）。
【００６０】
ステップＳ２０−１；第１返信ステップ
一度目の時刻要求パケット７を受信した基地局２側では、パケット内容の解析（Ｓ２０５）が行われ、標準時刻Ｔ１の取得（Ｓ２０６）、時刻設定パケットの作成（Ｓ２０２０７）が行われ、一度目の時刻設定パケットが携帯電話機１側へ返信される（Ｓ２０８）。
【００６１】
ステップＳ１０−２；第２送信ステップ
パケット送受信部１１は、一度目の時刻設定パケットを受信すると、時刻設定パケット受信部４１に送信する。時刻設定パケット受信部４１では、時刻設定パケットに示される時刻情報Ｔ１を抽出して（Ｓ１０７）、伝送遅延測定機能部４３へ通知する。また、パケット送受信部１１は、一度目の時刻設定パケットの返信があった旨を時刻要求パケット送信部３１に通知する。この通知に対して、時刻要求パケット送信部３１は、２度目の時刻要求パケット１−８を、パケット送受信部１１を介して基地局２へ発信する（Ｓ１０８）。携帯電話機は、時刻設定パケットの返信待ちの状態となる（ステップＳ１０９）。
【００６２】
ステップＳ２０−２；第２返信ステップ
二度目の時刻要求パケット７を受信した基地局２側では、パケット内容の解析（Ｓ２０９）が行われ、標準時刻Ｔ２の取得（Ｓ２１０）、時刻設定パケットの作成（Ｓ２１１）が行われ、二度目の時刻設定パケットが携帯電話機１側へ返信される（Ｓ２１２）。
【００６３】
ステップＳ３０；設定ステップ
パケット送受信部１１は、２度目の時刻設定パケットを受信すると、これを時刻設定パケット受信部４１へ送信する。時刻設定パケット受信部４１は、時刻情報Ｔ２を抽出する（Ｓ１１０）。そして、抽出した時刻情報Ｔ２を伝送遅延測定機能部４３へ送信する。伝送遅延測定機能部４３では、Ｔ２と、先に取得したＴ１とを用いて、基地局２と携帯電話機１間のパケット通信に要する伝送遅延時間ｔを算出する。伝送遅延時間ｔは、ｔ＝（Ｔ２−Ｔ１）÷２として算出される（Ｓ１１１）。更に、現在時刻ＴをＴ＝Ｔ２＋ｔとして求めて、時刻設定機能部４２へ通知する。時刻設定機能部４２は、現在時刻Ｔを現在時刻として時計機能部１３に設定する（Ｓ１１２）。
【００６４】
以上の一連の動作により、携帯電話機１の時刻設定が行われる。本実施の形態に依れば、第１の実施形態における作用・効果に加え、無線区間の伝送遅延を算出しているので、基地局から遠い場所にある携帯電話機に対しても、正確な時刻情報を設定することができる。
【００６５】
また、伝送遅延を算出するにあたり、基地局２に保存された標準時刻の情報（Ｔ１、Ｔ２）のみを使用している。携帯電話機１側では、標準時刻の要求（時刻要求パケット）を発信した時刻等を記憶している必要は無く、簡略な構成により伝送遅延の算出が実現される。
【図面の簡単な説明】
【００６６】
【図１】第１の実施の形態の機能ブロック図である。
【図２】第１の実施の形態における動作の流れを示すフローチャートである。
【図３】第２の実施の形態の機能ブロック図である。
【図４】第２の実施の形態における動作の流れを示すフローチャートである。
【図５】携帯電話機のハードウェア構成を示す図である。
【図６】基地局のハードウェア構成を示す図である。
【図７】第１の実施の形態における時刻設定プログラムの内容を示す図である。
【図８】基地局側の時刻設定プログラムの内容を示す図である。
【図９】第２の実施の形態における時刻設定プログラムの内容を示す図である。
【符号の説明】
【００６７】
１    携帯電話機
２    基地局
３    時刻要求部
４    時刻設定部
５    時刻返信部
６    時刻設定要求信号
７    時刻要求パケット
８    時刻設定パケット
１０  携帯電話機の時刻設定システム
１１  パケット送受信部
１２  スケジュール機能部
１３  時計機能部
１４  入力部
１５  ＣＰＵ
１６  ＲＡＭ
１７  アンテナ
２１  パケット送受信部
２２  標準時刻保存部
２５  ＣＰＵ
２６  ＲＡＭ
２７  アンテナ
３０−１  時刻設定プログラム（携帯電話機側）
３０−２  時刻設定プログラム（基地局側）
３１  時刻要求パケット送信部
４１  時刻設定パケット受信部
４２  時刻設定機能部
４３  伝送遅延測定機能部
５１  パケット内容解析部
５２  時刻設定パケット作成部
【図１】
2007271415.tif 000003
【図２】
2007271415.tif 000004
【図３】
2007271415.tif 000005
【図４】
2007271415.tif 000006
【図５】
2007271415.tif 000007
【図６】
2007271415.tif 000008
【図７】
2007271415.tif 000009
【図８】
2007271415.tif 000010
【図９】
2007271415.tif 000011